【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
一対の電流印加電極と一対の電圧測定電極とから成るインピーダンス測定電極を腹部周囲表面に接触させて測定した腹部のインピーダンスに基づいて、体脂肪に関する指標を算出する体脂肪測定装置において、
腹部前面に、腹部のインピーダンスを測定するための前記インピーダンス測定電極を接触させて支持する電極支持手段と、
腹部の横幅を測定するための横幅測定手段と、
前記腹部のインピーダンスと横幅とから体脂肪に関する指標を演算する演算手段とを有することを特徴とする体脂肪測定装置。
【請求項２】
前記電極支持手段は、柔軟部材で形成されることを特徴とする請求項１記載の体脂肪測定装置。
【請求項３】
一対の電流印加電極と一対の電圧測定電極とから成るインピーダンス測定電極を腹部周囲表面に接触させて測定した腹部のインピーダンスに基づいて、体脂肪に関する指標を算出する体脂肪測定装置において、
腹部前面に、腹部のインピーダンスを測定するための前記インピーダンス測定電極を接触させて支持する電極支持手段と、
前記電極支持手段の位置を腹部の横幅に合わせて可変とすることにより、前記一対の電圧測定電極間の距離を前記腹部の横幅に合わせて変化させる電極位置可変手段と、
前記腹部のインピーダンスに基づいて体脂肪に関する指標を演算する演算手段とを有することを特徴とする体脂肪測定装置。
【請求項４】
前記一対の電流印加電極は、第１の電流印加電極と第２の電流印加電極とから成り、
前記一対の電圧測定電極は第１の電圧測定電極と第２の電圧測定電極から成り、
前記電極支持手段は、前記第１の電流印加電極と前記第１の電圧測定電極とを備えた第１の電極支持手段と、前記第２の電流印加電極と前記第２の電圧測定電極とを備えた第２の電極支持手段とを有し、
前記電極位置可変手段は、前記第１の電極支持手段および前記第２の電極支持手段の位置を可変することにより、前記第１の電圧測定電極と前記第２の電圧測定電極との間の距離を前記腹部の横幅に合わせて変化させる請求項３記載の体脂肪測定装置。
【請求項５】
前記電極支持手段は、前記一対の電流印加電極に挟まれるように、前記一対の電圧測定電極を配して成ることを特徴とする請求項１から４のいずれか１項に記載の体脂肪測定装置。
【請求項６】
前記電極支持手段は、前記一対の電流印加電極と一対の電圧測定電極との内、少なくとも一方の接触方向を腹部の形状に合わせて可変する電極方向可変手段を更に有することを特徴とする請求項１から５のいずれか１項に記載の体脂肪測定装置。
【請求項７】
前記一対の電流印加電極に供給する交流電流の周波数を切り替え、高周波数及び低周波数の内、少なくとも各一つの周波数による２周波数以上のインピーダンス測定を行なう周波数切替手段を更に有することを特徴とする請求項１から６のいずれか１項に記載の体脂肪測定装置。
【請求項８】
前記体脂肪に関する指標は、腹部全脂肪面積、皮下脂肪面積、皮下脂肪厚、内臓脂肪面積、体幹部脂肪率、全身脂肪率及び皮下脂肪と内臓脂肪との割合の内、少なくとも一つであることを特徴とする請求項１から７のいずれか１項に記載の体脂肪測定装置。
【手続補正２】
【補正対象書類名】明細書
【補正対象項目名】００１４
【補正方法】変更
【補正の内容】
【００１４】
上記課題を解決するために本発明は、一対の電流印加電極と一対の電圧測定電極とから成るインピーダンス測定電極を腹部周囲表面に接触させて測定した腹部のインピーダンスに基づいて、体脂肪に関する指標を算出する体脂肪測定装置において、腹部前面に、腹部のインピーダンスを測定するための前記インピーダンス測定電極を接触させて支持する電極支持手段と、腹部の横幅を測定するための横幅測定手段と、前記腹部のインピーダンスと横幅とから体脂肪に関する指標を演算する演算手段とを有する体脂肪測定装置を提供する。
【手続補正３】
【補正対象書類名】明細書
【補正対象項目名】００１６
【補正方法】変更
【補正の内容】
【００１６】
また本発明は、一対の電流印加電極と一対の電圧測定電極とから成るインピーダンス測定電極を腹部周囲表面に接触させて測定した腹部のインピーダンスに基づいて、体脂肪に関する指標を算出する体脂肪測定装置において、腹部前面に、腹部のインピーダンスを測定するための前記インピーダンス測定電極を接触させて支持する電極支持手段と、前記電極支持手段の位置を腹部の横幅に合わせて可変とすることにより、前記一対の電圧測定電極間の距離を前記腹部の横幅に合わせて変化させる電極位置可変手段と、前記腹部のインピーダンスに基づいて体脂肪に関する指標を演算する演算手段とを有する体脂肪測定装置を提供する。
本発明の好適な態様において、前記一対の電流印加電極は、第１の電流印加電極と第２の電流印加電極とから成り、前記一対の電圧測定電極は第１の電圧測定電極と第２の電圧測定電極から成り、前記電極支持手段は、前記第１の電流印加電極と前記第１の電圧測定電極とを備えた第１の電極支持手段と、前記第２の電流印加電極と前記第２の電圧測定電極とを備えた第２の電極支持手段とを有し、前記電極位置可変手段は、前記第１の電極支持手段および前記第２の電極支持手段の位置を可変することにより、前記第１の電圧測定電極と前記第２の電圧測定電極との間の距離を前記腹部の横幅に合わせて変化させる。
【手続補正４】
【補正対象書類名】明細書
【補正対象項目名】００１８
【補正方法】変更
【補正の内容】
【００１８】
また、前記電極支持手段は、前記一対の電流印加電極と一対の電圧測定電極との内、少なくとも一方の接触方向を腹部の形状に合わせて可変する電極方向可変手段を更に有する。
【手続補正５】
【補正対象書類名】明細書
【補正対象項目名】００２１
【補正方法】変更
【補正の内容】
【００２１】
本発明の体脂肪測定装置は、一対の電流印加電極と一対の電圧測定電極とから成るインピーダンス測定電極を腹部周囲表面に接触させて測定した腹部のインピーダンスに基づいて、体脂肪に関する指標を算出する体脂肪測定装置において、腹部前面に、腹部のインピーダンスを測定するための前記インピーダンス測定電極を接触させて支持する電極支持手段と、腹部の横幅を測定するための横幅測定手段と、前記腹部のインピーダンスと横幅とから体脂肪に関する指標を演算する演算手段とを有することから、身体を挟んでインピーダンス測定電極やウエスト測定器等を配する必要がなく、腹部前面に本装置を押し当てるだけで簡便に適切な測定状態とすることが可能であり、健常者はもちろん、四肢に障害のある方や寝たきりの方であっても、寝たままでも簡便に体脂肪に関する指標を得ることが可能である。
【手続補正６】
【補正対象書類名】明細書
【補正対象項目名】００２３
【補正方法】変更
【補正の内容】
【００２３】
また本発明は、一対の電流印加電極と一対の電圧測定電極とから成るインピーダンス測定電極を腹部周囲表面に接触させて測定した腹部のインピーダンスに基づいて、体脂肪に関する指標を算出する体脂肪測定装置において、腹部前面に、腹部のインピーダンスを測定するための前記インピーダンス測定電極を接触させて支持する電極支持手段と、前記電極支持手段の位置を腹部の横幅に合わせて可変とすることにより、前記一対の電圧測定電極間の距離を前記腹部の横幅に合わせて変化させる電極位置可変手段と、前記腹部のインピーダンスに基づいて体脂肪に関する指標を演算する演算手段とを有することから、電極位置を物理的に可動させることにより、腹部の大きさによらず、被験者の腹部の横幅に適する測定範囲（一対の電圧測定電極間の距離）のインピーダンスを測定することが可能である。
本発明の好適な態様において、前記一対の電流印加電極は、第１の電流印加電極と第２の電流印加電極とから成り、前記一対の電圧測定電極は第１の電圧測定電極と第２の電圧測定電極から成り、前記電極支持手段は、前記第１の電流印加電極と前記第１の電圧測定電極とを備えた第１の電極支持手段と、前記第２の電流印加電極と前記第２の電圧測定電極とを備えた第２の電極支持手段とを有し、前記電極位置可変手段は、前記第１の電極支持手段および前記第２の電極支持手段の位置を可変することにより、前記第１の電圧測定電極と前記第２の電圧測定電極との間の距離を前記腹部の横幅に合わせて変化させることから、第１の電極支持手段および前記第２の電極支持手段の位置を被験者の腹部の横幅に応じて変化させることのみで、第１の電圧測定電極と第２の電圧測定電極との間の距離を被験者の腹部の横幅に応じた適切な距離とすることが可能である。
【手続補正７】
【補正対象書類名】明細書
【補正対象項目名】００２５
【補正方法】変更
【補正の内容】
【００２５】
また、前記電極支持手段は、前記一対の電流印加電極と一対の電圧測定電極との内、少なくとも一方の接触方向を腹部の形状に合わせて可変する電極方向可変手段を更に有することから、前記インピーダンス測定電極の各電極を腹部に密着させることが可能であり、接触の不具合が原因となる誤差を軽減することができる。